(57)【要約】【課題】従来のアラーム付照明用リモコンでは、照明点灯時刻とアラーム発生時刻が連動しているものしかなく、アラームを鳴らさずに、若しくは、アラームが鳴ってから、照明を点灯させることなどが出来なかった。【解決手段】時計機能と、アラーム機能と、照明動作信号送信機能とを内蔵する照明器具のリモコン送信機２０であって照明点灯時刻と照明消灯時刻とアラーム発生時刻とを個別に設定することができて、それぞれにつき、１又は複数個の時刻設定ができるようにした。【選択図】図３
2005322473.tif 000002
【特許請求の範囲】
【請求項１】
時計機能と、アラーム機能と、照明動作信号送信機能とを内蔵する照明器具のリモコン送信機であって、
照明点灯時刻と照明消灯時刻とアラーム発生時刻とを個別に設定可能とした照明器具のリモコン送信機。
【請求項２】
前記照明点灯時刻と、前記照明消灯時刻と、前記アラーム発生時刻の、それぞれにつき、１又は複数個の時刻設定ができることを特徴とする、請求項１に記載の照明器具のリモコン送信機。
【請求項３】
前記アラーム機能と、前記照明動作信号送信機能の、いずれか一方、又は両方にスヌーズ機能を付加したことを特徴とする、請求項１又は請求項２に記載の照明器具のリモコン送信機。
【請求項４】
前記アラーム機能が、時間の経過と共にアラーム音が大きくなるパターンと、小さくなるパターンとが選べることを特徴とする、請求項１乃至請求項３のいずれか一項に記載の照明器具のリモコン送信機。
【請求項５】
他の照明器具を操作するための他のリモコン送信機の照明動作信号を、記憶可能とするとともに、送信可能に構成したことを特徴とする、請求項１乃至請求項４のいずれか一項に記載の照明器具のリモコン送信機。
【発明の詳細な説明】
【技術分野】
【０００１】
本発明は、照明器具のリモコン送信機に関するものであり、より詳しくは、さわやかに目覚めるための、また、家の中に住人が不在のときに防犯の役割を果たすための、照明器具のリモコン送信機の技術に関する。
【背景技術】
【０００２】
従来、セット時刻に照明を点灯させることにより、光刺激によって就寝者を目覚めさせるものが良く知られている。
例えば、設定された起床希望時刻に応じて光発生手段の光の照度を、低照度、中照度、高照度の順番に連続的に（あるいは段階的に）変化させるとともに、低照度から中照度への照度変化を緩やかに、中照度から高照度への照度変化を急速に行うことで、就寝者の睡眠を深い状態から浅い状態に導くとともに、就寝者の生体リズムを活動期に向かわせるもの等が開発されている（例えば、特許文献１参照。）。
【０００３】
また、目覚ましモード中（光発生手段の光の照度が、低照度、中照度、高照度の順番に変化している間）に、就寝者が目覚めた場合に、所定の照度が得られるまで待たなくても良いように、目覚ましモード中に制御信号が入力されると目覚ましモードを中断するものも開発されている（例えば、特許文献２参照。）。
【０００４】
【特許文献１】特開平７−３１８６７０号公報
【特許文献２】特開２００１−３１３１８４号公報
【発明の開示】
【発明が解決しようとする課題】
【０００５】
しかし、上記従来例では、照明点灯時刻とアラームが鳴る時刻が連動しており、それぞれの使用者に応じたフレキシブルな時刻設定が不可能であった。
つまり、アラームが鳴る時刻より早めに照明を点灯し、ゆっくりと目覚めたい使用者もいるし、アラームを先に何回か鳴らして（スヌーズ機能）から照明が点灯し始めるようにしたい使用者もいるため、これらの様々な使用者のニーズに対応できる目覚まし機能付の照明器具が求められていた。
また、防犯上の観点から、照明点灯時刻のみを設定しておき、使用者が不在の折にも自動的に照明が点灯するようにしたい、というニーズがあるが、従来例では照明点灯と同時にアラームもなってしまい、その結果、使用者がいないことが外部から分かってしまうため、防犯上では反って逆効果となっていた。
また、起床用にアラーム時刻を設定し（同時に照明点灯時刻も決まってしまう。）、目覚めた後の朝の忙しい時に、防犯用の照明点灯時刻を設定する（同時にアラーム時刻も決まってしまう。）ことは、面倒で大変であった。
【課題を解決するための手段】
【０００６】
本発明の解決しようとする課題は以上の如くであり、次にこの課題を解決するための手段を説明する。
【０００７】
即ち、請求項１においては、時計機能と、アラーム機能と、照明動作信号送信機能とを内蔵する照明器具のリモコン送信機であって、照明点灯時刻と照明消灯時刻とアラーム発生時刻とを個別に設定可能としたものである。
【０００８】
請求項２においては、前記照明点灯時刻と、前記照明消灯時刻と、前記アラーム発生時刻の、それぞれにつき、１又は複数個の時刻設定ができることを特徴とするものである。
【０００９】
請求項３においては、前記アラーム機能と、前記照明動作信号送信機能の、いずれか一方、又は両方にスヌーズ機能を付加したことを特徴とするものである。
【００１０】
請求項４においては、前記アラーム機能が、時間の経過と共にアラーム音が大きくなるパターンと、小さくなるパターンとが選べるものである。
【００１１】
請求項５においては、他の照明器具を操作するための他のリモコン送信機の照明動作信号を、記憶可能とするとともに、送信可能に構成したものである。
【発明の効果】
【００１２】
本発明の効果として、以下に示すような効果を奏する。
【００１３】
請求項１においては、使用者のニーズ・ライフスタイルに応じた、アラーム・照明の時刻の設定が可能となる。
これによれば、アラームがなる時刻より照明を早めに点灯し、ゆっくりと目覚めることや、アラームを先に何回か鳴らして（スヌーズ機能）から照明の点灯を開始させるなど、使用者の様々なニーズに対応できるようになる。
また、防犯上の観点から、不在時に照明点灯時刻のみを設定しておき、使用者が不在の折にも自動的に照明を点灯させることが可能となる。
【００１４】
請求項２においては、予め起床用にアラーム発生時刻を設定し（使用者の好みに合わせて照明点灯時刻及び照明消灯時刻を設定できる。）、同じく予めに、防犯用の照明点灯時刻及び照明消灯時刻を設定する（アラーム発生時刻は設定しない。）ことが可能となる。
【００１５】
請求項３においては、使用者に前日の疲れが残っている場合や、使用者が低血圧の場合等は、一度のアラームや、一度の照明点灯では使用者の目が覚めないことがあるが、こういった場合にも、確実に使用者を目覚めさせることが可能となる。
【００１６】
請求項４においては、使用者の好みに応じて、はじめから大きな音を発生させて目覚めたいのか、小さな音で目覚めたいのか、を選択できる。
特に、使用者が低血圧の場合等は、小さな音から徐々に大きな音になっていくアラームが適することになる。また、疲れていて眠りが深い場合等は、使用者を少々驚かさないと起きれなかったりするので、大きな音から徐々に小さな音になっていくアラームが適することになる。
【００１７】
請求項５においては、異なるリモコン送信機によって操作される各種照明器具を、一つのリモコン送信機によって操作することが可能となり、利便性に優れたものとすることができる。
【発明を実施するための最良の形態】
【００１８】
次に、発明の実施の形態を説明する。
図１は本発明に係るリモコン送信機２０にて操作される照明器具１６のブロック構成図であり、図２は同じく照明器具１６の側断面図であり、図３は本発明に係る照明器具１６のリモコン送信機２０の正面図であり、図４は同じく側面図であり、図５は同じく略平面図であり、図６は同じく斜視図であり、図７はリモコン送信機２０の構成について示すブロック図であり、図８は各種時刻の使用例について示す図である。
【００１９】
まず、本発明に係るリモコン送信機２０にて操作される照明器具１６について図１を参照しながら説明する。
図１に示すように、照明器具１６においては、例えば、環形蛍光ランプ等の放電灯１１、交流電源と、交流電圧を直流電圧に変換する整流平滑部２２、整流平滑部２２の直流電圧出力を交流の高周波電圧に変換して放電灯１１に供給するインバータ部２３、インバータ部２３を制御するインバータ制御部２５、等が備えられている。
また、リモコン送信機２０からの送信信号（全灯、調光、常夜灯、消灯、順送り命令など。）を受信するリモコン受信部１５と、リモコン受信部１５からの出力を受けてインバータ制御部２５に制御信号を送信する制御部２８、等が備えられている。
また、前記インバータ部２３は、リモコン受信部１５が後述する調光ＵＰ信号を受信した場合に、放電灯１１の出力を徐々に大きくしていくものである。これにより、リモコン送信機２０が調光ＵＰ信号を送信すると、部屋の中が徐々に明るくされる。
【００２０】
そして、図２に示すように、本照明器具１６は、例えば、器具本体１０と、該器具本体１０に装着される環状蛍光ランプ（放電灯）１１・１１と、器具本体１０に装着され環状蛍光ランプ１１・１１を覆うセード１３と、照明器具１６を遠隔制御するリモコン受信部１５等で構成されており、器具本体１０を天井面に直接当接することで取り付けられる天井直付用の照明器具に構成されている。
なお、図２では、放電灯１１を環状蛍光ランプとしているが、直管蛍光ランプ等の他の種類の放電灯を用いてもよく、特に限定されるものではない。また照明器具１６は放電灯に限定するものではなく白熱灯等で電圧を制御することにより明るさを変更する構成とすることもできる。
【００２１】
器具本体１０の下面部には、複数の環状蛍光ランプ１１・１１が取り付けられ、該環状蛍光ランプ１１・１１は、セード１３により下方から覆われている。セード１３は下に凸の略球面形状に形成されており、器具本体１０側に固設されるセード固定具１４・１４により器具本体１０に取り付けられている。
【００２２】
また、器具本体１０には、リモコン用ブラケット５１が取り付けられており、該リモコン用ブラケット５１の下面に、前記リモコン受信部１５が装着されている。リモコン受信部１５には受光センサ１７が設けられ、別体のリモコン送信機２０からの光を、該受光センサ１７が受光することで、照明器具１６が遠隔制御される。
【００２３】
次に、リモコン送信機２０について図３乃至図７を用いて説明する。
リモコン送信機２０は、樹脂カバー３８で覆われ、上端部の左右中央部に送信部４９が設けられている。
また、前記送信部４９内には、赤外線の複数種（動作モードが複数ある。）の所定送信信号を送信可能とする、少なくとも２つの送信用発光ダイオード（図示せず。）が配設されている。
また、前記送信部４９の側方には、同じくリモコン送信機２０の上端にスヌーズ・ライトボタン４０が配設されている。
そして、リモコン送信機２０の側部には、アラームスイッチ３９が配設されている。
【００２４】
また、リモコン送信機２０の正面には、左右中央部の上半分側に表示部３１が設けられており、現在の時刻や、アラーム発生時刻や、照明点灯時刻等の設定内容が確認できるようになっている。
そして、表示部３１の下方（リモコン送信機２０の正面の下半分側）には、上から順番に、設定ボタン３２、モード切替ボタン３３及びＣＨ切替ボタン３４、＋ボタン３５及び−ボタン３６、順送りボタン３７が配置されている。
ここで、モード切替ボタン３３、ＣＨ切替ボタン３４、＋ボタン３５、−ボタン３６は、左右方向の長さが設定ボタン３２の略半分に構成されており、モード切替ボタン３３とＣＨ切替ボタン、そして＋ボタン３５と−ボタン３６は隣同士に、且つ同じ高さに並んでいる。
そして、リモコン送信機２０の筐体内に、リモコン送信機２０や表示部３１やボタンやスイッチ等と接続した制御手段（制御部７６）が内蔵されている。
【００２５】
次に、リモコン送信機２０の各種ボタンの機能について説明する。
＜設定ボタン３２＞
リモコン送信機２０の表示部３１は、平常時は時計として機能している。この時計を表示している現在時刻表示モードから、設定ボタン３２を１回押す毎に、各種モードへの切替が行われる。
具体的には、現在時刻設定モードの状態で、設定ボタン３２を３秒以上長押しすることで、現在時刻設定モード（現在時刻が設定できる状態である。）に切替が行われ、その後は１回押す毎に、アラーム時刻設定モード（目覚ましが鳴る時刻を設定する状態。）、照明点灯時刻設定モード（照明を点灯させる時刻を設定する状態。）、照明消灯時刻設定モード（照明を消灯させる時間を設定する状態。）、の順にモードの切替が行われる等である。また、照明消灯時刻設定モードの時に、設定ボタン３２を押すと、もう一度現在時刻設定モードに戻り、現在時刻表示モード以外の時に、５秒以上ボタン操作を行わないと、現在時刻表示モードに戻るものとする等である。
【００２６】
また、アラーム発生時刻は、１又は複数個の設定時刻を記録できるようにしても良い。
また、同様に、照明点灯時刻や照明消灯時刻についても、１又は複数個の設定時刻を記録できるようにしても良い。
そして、この記録の際の操作形態としては、例えば、最初のアラーム時刻設定のためのアラーム時刻設定モードの表示状態において、設定ボタン３２を押すと、次のアラーム時刻設定のためのアラーム時刻設定モードが表示され、さらに、設定ボタン３２を押すと、照明点灯時刻設定のための照明点灯時刻設定モード、照明消灯時刻設定のための照明消灯時刻設定モードといった順に表示される等である。
【００２７】
また、以上の各種モードの表示形態は予め後述する制御部７６に記憶されたプログラムに則って行われるものであり、当該プログラムによって、アラーム時刻、照明時刻、照明消灯時刻につき設定可能な個数が定められるものとしている。
そして、当該プログラムにより、より多くのアラーム時刻、照明時刻、照明消灯時刻を個別に設定可能に構成することにより、より使用者のニーズ・ライフスタイルに沿ったフレキシブルな利用ができることとなる。
例えば、予め起床用にアラーム発生時刻を設定し（使用者の好みに合わせて照明点灯時刻及び照明消灯時刻を設定できる。）、同じく予めに、防犯用の照明点灯時刻及び照明消灯時刻を設定する（アラーム発生時刻は設定しない。）といった設定が可能となるのである。
【００２８】
＜＋ボタン３５及び−ボタン３６＞
また、上記の現在時刻設定モードや、照明点灯時刻設定モードにおいて、各種時刻を設定する場合には、＋ボタン３５及び−ボタン３６が使用される。
＋ボタン３５は、例えば、１回押す毎に時計表示を１分ずつ進ませ、１秒以上長押しするとその後０．５秒間隔で３０分ずつ進ませるものとする。
−ボタン３６は、例えば、１回押す毎に時計表示を１分ずつ戻させ、１秒以上長押しするとその後０．５秒間隔で３０分ずつ戻させるものとする。
【００２９】
＜モード切替ボタン３３＞
モード切替ボタン３３は、照明動作信号を送信するか否かを設定するものである。すなわち、設定ボタン３２によって、照明点灯時刻及び照明消灯時刻を設定しているが、それらの時刻に照明動作信号を送信するか否かをモード切替ボタン３３で決定するわけである。
これによって、照明点灯時刻及び照明消灯時刻を一度設定しておくと、次からはいちいちこれらの時刻を設定する必要はなく、設定した時刻に送信を行うか否かを決めれば良いことになる。
【００３０】
該モード切替ボタン３３は、１回押す毎に、表示部３１のＯＮタイマー及びＯＦＦタイマー表示が切り替わる。具体的には、始めは表示部のＯＮタイマーとＯＦＦタイマーは共に消灯されているが、モード切替ボタン３３を１回押すと、ＯＮタイマーのみが表示され、もう一度押すと、ＯＦＦタイマーのみが表示され、もう一度押すとＯＮタイマーとＯＦＦタイマーの両方が表示され、さらに、もう一度押すとＯＮタイマーとＯＦＦタイマーは共に消灯される等である。
【００３１】
そして、上記のＯＮタイマーが表示されているときは、照明点灯時刻にリモコン送信機２０から照明点灯命令としての照明動作信号が送信される。但し、この場合の照明動作信号は調光ＵＰ信号とする。そして、上記のＯＦＦタイマーが表示されているときは、照明消灯時刻に照明消灯命令としての照明動作信号が送信されるものとしている。
【００３２】
＜順送りボタン３７＞
順送りボタン３７は、１回押される毎に、照明動作信号のうちの順送り信号を発生させるためのものである。
照明器具１６は、順送り信号を１回受信する毎に、全灯、調光、常夜灯、消灯の順に切り替わるものとしている。
尚、消灯している場合に、順送り信号を受信すると、全灯状態とされることとしている。
【００３３】
＜ＣＨ切替ボタン３４＞
ＣＨ切替ボタン３４は１回押す毎に、送信信号のチャンネルを切り替えて、照明動作をさせる照明器具を選択するためのものである。このＣＨ切替ボタン３４を利用して、送信信号のチャンネルを切り替えることにより、部屋の中に照明装置が２つある場合であっても、１つのリモコン送信機２０のみを用いて、２つの照明装置を操作することが可能である。
表示部では、ＣＨ切替ボタン３４を１回押す毎に「ＣＨ１」と「ＣＨ２」が交互に表示される。
【００３４】
＜アラームスイッチ３９＞
アラームスイッチ３９は、１回押す毎に、表示部３１のアラームマーク３１ａが点灯したり、消灯したりする。アラームスイッチ３９を１回押して、アラームマーク３１ａが点灯しているときは、アラーム時刻設定モードで設定した時刻に、アラームが鳴り、もう一度アラームスイッチ３９を押して、アラームマーク３１ａが消灯しているときは、アラーム発生時刻に設定した時間になっても、アラームは鳴らない。
これによって、アラーム発生時刻を一度設定しておくと、次からはいちいちアラームを鳴らしたい時刻を設定する必要はなく、すでに設定した時刻にアラームを鳴らすか鳴らさないかを決めれば良いことになる。
【００３５】
また、アラームスイッチ３９の操作につき、１回押す毎に、徐々に大きい音に変化して行くアラームを鳴らす、徐々に小さい音に変化して行くアラームを鳴らす、アラームを鳴らさない、とするようなプログラムを入力してもよい。
これによれば、使用者の好みに応じて、はじめから大きな音を発生させて目覚めたいのか、小さな音で目覚めたいのか、を選択できる。特に、使用者が低血圧の場合等は、小さな音から徐々に大きな音になっていくアラームが適しているし、疲れていて眠りが深い場合等は、使用者を少々驚かさないと起きることができなかったりするので、大きな音から徐々に小さな音になっていくアラームが適することとなる。
【００３６】
＜スヌーズ・ライトボタン４０＞
スヌーズ・ライトボタン４０が押されている間は、バックライト（ＬＥＤ）が点灯され、時刻等が確認できるようになっている。
また、アラームが鳴っているときに、スヌーズ・ライトボタンを１回押すと、バックライトが点灯すると共に、アラームが鳴り止み、５分後に再度アラームが鳴るようになっている。このように、アラームを一度止めてから、時間をおいて再度アラームを鳴らすことで、もう少し眠りたい場合などに寝過ごすことを防止できる。
また、前記アラームと連動して、照明動作を連動させることとしても良い。
なお、スヌーズ・ライトボタン４０を押してから、再度アラームを鳴らすまでの時間は、３分や１０分などでも良く、５分に限定するものではない。
【００３７】
そして、以上のリモコン送信機２０の構成は、図７に示すごとくの構成とされる。
図７において、７１はプログラム記憶部、７２は時計部、７３はスピーカ等よりなるアラーム発生部、７４は照明動作信号送信部、７５は電源部、３１は表示部であり、これらは、制御部７６に接続されている。
プログラム記憶部７１には、アラーム時刻、照明時刻、照明消灯時刻のそれぞれにつき、個別の値の入力を可能とし、該入力値に基づいて所定の動作（アラーム発生や点灯／消灯）をさせるプログラムが予め記憶されるものである。また、当該プログラムは、アラーム時刻、照明時刻、照明消灯時刻のそれぞれにつき、１又は複数個の値の入力を可能とすべく構成される。また、当該プログラムは、前記スヌーズ・ライトボタン４０からの入力に応じて、アラーム及び照明のＯＮ・ＯＦＦの繰り返しを行うスヌーズ機能を実効可能とすべく構成される。
また、時計部７２は、いわゆる時計機能を有するものであり、当該時計部７２では時刻をカウントし、当該時刻が前記プログラムによって参照される。
また、アラーム発生部７３は、アラーム音を発生させるアラーム機能を果たすものであり、可変抵抗を備えて、その音量の大小が変更可能に構成される。
また、前記照明動作信号送信部７４は、制御部７６の指令に基づき、順送り信号や、照明点灯命令、照明消灯命令を生成し、発信させる照明動作信号送信機能を果たすものである。
また、表示部３１は、図３乃至図６に示されるごとくであり、制御部７６の指令に基づき、所定の情報を表示させるものである。
【００３８】
そして、リモコン送信機２０には、次のような機能を持たせることとするものである。
即ち、他の照明器具を操作するための他のリモコン送信機の照明動作信号を、当該リモコン送信機２０に記憶させるとともに、当該リモコン送信機２０より送信可能に構成するものである。
より具体的には、図７に示すごとく、当該リモコン送信機２０は、プログラム記憶部７１、照明動作信号送信部７４、リモコン信号受光部７９、を具備し、前記リモコン信号受光部７９にて他のリモコン送信機のリモコン信号を受光し、当該受光したリモコン信号を、プログラム記憶部７１に記憶されたプログラムにて解析するとともに、当該プログラム記憶部７１に記憶することとし、当該解析・記憶されたリモコン信号を前記照明動作信号送信部７４より発信させることにより、前記他のリモコン送信機によって操作される照明器具を、当該リモコン送信機２０によって操作可能に構成するものである。
これは、当該リモコン送信機２０に、いわゆる「記憶リモコン」の機能を、具備させる構成とするものであり、これによれば、異なるリモコン送信機によって操作される各種照明器具を、一つのリモコン送信機２０によって操作することが可能となり、利便性に優れたものとすることができる。
【００３９】
以上の点に関し、従来は、様々なメーカーから照明器具とリモコン送信機が発売されているが、各社で照明動作信号の内容が異なるため、部屋の中に違うメーカーの照明が複数ある場合、それぞれの照明のリモコン送信機を選んだ上で操作しなければならないという問題があった。
そこで、上記の構成とすることで、逐次、他のリモコン送信機の照明動作信号を記憶・送信可能とすることにより、本発明にかかる一つのリモコン送信機２０にて、操作可能とするものである。
尚、上記の構成のほか、前記プログラム記憶部７１に、予め各メーカーが採用する照明動作信号を記憶させておき、メーカーの種別・機種を選択することにより、操作可能な状態にする形態としてもよい。
【００４０】
以上が本発明に係るリモコン送信機２０の構成であり、各構成につき、次の効果を得ることができる。
即ち、時計機能と、アラーム機能と、照明動作信号送信機能とを内蔵する照明器具のリモコン送信機２０であって照明点灯時刻と照明消灯時刻とアラーム発生時刻とを個別に設定することができるようにしたので、使用者のニーズ・ライフスタイルに応じた、アラーム・照明の時刻の設定が可能となる。
これによれば、アラームがなる時刻より照明を早めに点灯し、ゆっくりと目覚めることや、アラームを先に何回か鳴らして（スヌーズ機能）から照明の点灯を開始させるなど、使用者の様々なニーズに対応できるようになる。
また、防犯上の観点から、不在時に照明点灯時刻のみを設定しておき、使用者が不在の折にも自動的に照明を点灯させることが可能となる。
【００４１】
また、記照明点灯時刻と、前記照明消灯時刻と、前記アラーム発生時刻の、それぞれにつき、１又は複数個の時刻設定ができるので、予め起床用にアラーム発生時刻を設定し（使用者の好みに合わせて照明点灯時刻及び照明消灯時刻を設定できる。）、同じく予めに、防犯用の照明点灯時刻及び照明消灯時刻を設定する（アラーム発生時刻は設定しない。）ことが可能となる。
【００４２】
また、前記アラーム機能と、前記照明動作信号送信機能の、いずれか一方、又は両方にスヌーズ機能を付加することとするので、使用者に前日の疲れが残っている場合や、使用者が低血圧の場合等は、一度のアラームや、一度の照明点灯では使用者の目が覚めないことがあるが、こういった場合にも、確実に使用者を目覚めさせることが可能となる。
【００４３】
また、前記アラーム機能が、時間の経過と共にアラーム音が大きくなるパターンと、小さくなるパターンとが選べるようにしたので、使用者の好みに応じて、はじめから大きな音を発生させて目覚めたいのか、小さな音で目覚めたいのか、を選択できる。
特に、使用者が低血圧の場合等は、小さな音から徐々に大きな音になっていくアラームが適することになる。また、疲れていて眠りが深い場合等は、使用者を少々驚かさないと起きることができなかったりするので、大きな音から徐々に小さな音になっていくアラームが適することになる。
【００４４】
そして、他の照明器具を操作するための他のリモコン送信機の照明動作信号を、記憶可能とするとともに、送信可能に構成したので、異なるリモコン送信機によって操作される各種照明器具を、一つのリモコン送信機２０によって操作することが可能となり、利便性に優れたものとすることができる。
【００４５】
次に、上記のリモコン送信機２０の実際の使用例について説明する。
＜使用例１；アラーム＋照明点灯／消灯＞
図８に示す使用例１では、アラームと、照明点灯／消灯を組み合わせた例について示している。
本例では、以下の設定がそれぞれされるものである。
（１）朝の７時になるとアラームが鳴るように設定される。
（２）朝の６時から調光が開始され７時になると全灯される。
（３）朝の８時になると照明が消灯される。
これらの（１）〜（３）の時刻は、それぞれ個別に設定可能とされるものであり、（１）では音による覚醒、（２）では光による覚醒、（３）では自動消灯による消し忘れ防止といった機能がそれぞれ発揮されるものである。
本例は、平日の朝の時間帯での適用を考えた例であり、（１）（２）により爽やかな目覚めが提供されるとともに、（３）によれば、あわただしく出かけてしまい消し忘れてしまった場合にも照明が自動消灯されることになる。
【００４６】
＜使用例２；照明点灯／消灯＞
図８に示す使用例２では、照明点灯／消灯のみを設定した例について示している。
本例では、以下の設定がそれぞれされるものである。
（１）朝の９時になると調光が開始され１０時になると５０％調光での点灯がされる。
（２）朝の１２時になると照明が点灯される。
これらの（１）（２）の時刻は、それぞれ個別に設定可能とされるものであり、（１）では光による覚醒、（２）では自動消灯による省エネといった機能がそれぞれ発揮されるものである。
本例は、休日の朝に時間を気にせずに、ゆっくりと目覚めたい場合への適用を考えた例であり、（１）によれば、最終的には照度が５０％に抑えられた状態での点灯が継続され、緩やかな光により覚醒を促すことができ、（２）によれば、それでも起床しない場合には、自動消灯することで、省エネを図ることができる。
【００４７】
＜使用例３；アラーム＋照明点灯／消灯＋防犯用照明点灯／消灯＞
図８に示す使用例３では、上記使用例１に加え、防犯用照明点灯／消灯を設定した例について示している。
本例では、以下の設定がそれぞれされるものである。
（１）朝の７時になるとアラームが鳴るように設定される。
（２）朝の６時から調光が開始され７時になると全灯される。
（３）朝の８時になると照明が消灯される。
（４）夜の７時になると照明が全灯される。
（５）夜の１０時になると照明が消灯される。
これらの（１）〜（５）の時刻は、それぞれ個別に設定可能とされるものであり、（１）では音による覚醒、（２）では光による覚醒、（３）では自動消灯による消し忘れ防止、（４）（５）では照明による防犯効果といった機能がそれぞれ発揮されるものである。
本例は、特に、帰宅が遅くなる場合において、防犯上の観点から、あたかも人が在宅しているかのように装うべく、夜間に自動に点灯／消灯させたい場合への適用を考えた例であり、（４）（５）によって、照明による防犯効果が図れるものである。
また、本例のように、夜７時の点灯時にはアラームが鳴らないように設定されることとすることで、不在であることを知らせてしまうといった逆効果が生じてしまうこともない。
さらに、本例は、旅行時等の長期不在期間においても適用可能であり、本例３を設定することによれば、安心して旅行などを楽しめることができることとなる。
【図面の簡単な説明】
【００４８】
【図１】本発明に係るリモコン送信機２０にて操作される照明器具１６のブロック構成図。
【図２】同じく照明器具１６の側断面図。
【図３】本発明の一実施例に係る照明器具１６のリモコン送信機２０の正面図。
【図４】同じく側面図。
【図５】同じく略平面図。
【図６】同じく斜視図。
【図７】リモコン送信機２０の構成について示すブロック図。
【図８】各種時刻の使用例について示す図。
【符号の説明】
【００４９】
１１    放電灯
１６    照明器具
２０    リモコン送信機
３１    表示部
３２    設定ボタン
３３    モード切替ボタン
３４    ＣＨ切替ボタン
３５    ＋ボタン
３６    −ボタン
３７    順送りボタン
３９    アラームスイッチ
４０    スヌーズ・ライトボタン
【図１】
2005322473.tif 000003
【図２】
2005322473.tif 000004
【図３】
2005322473.tif 000005
【図４】
2005322473.tif 000006
【図５】
2005322473.tif 000007
【図６】
2005322473.tif 000008
【図７】
2005322473.tif 000009
【図８】
2005322473.tif 000010